(57)【要約】【課題】  庭やベランダに設置するウッドデッキ等のデッキ材の側面に幕板を取り付ける際に、一般の方でも簡単に施工できる、デッキ用幕板を提供する。【解決手段】  デッキ材引掛部１と、該デッキ材引掛部１に連続してＬ型形状を形成する側面板部２と、該側面板部２の内側面に形成された補強部３とを有し、デッキ材引掛部１と補強部３の上面との間に、デッキ材の端部を組み合わせて収納する組込凹部４が形成され、デッキ材引掛部１の上面の長手方向に、ネジ取り付けガイド用のガイド溝１１が形成されている。【選択図】図１
0003205228.tif 000002
【実用新案登録請求の範囲】
【請求項１】
デッキ材引掛部と、該デッキ材引掛部に連続してＬ型形状を形成する側面板部と、該側面板部の内側面に形成された補強部とを有し、デッキ材引掛部と補強部の上面との間に、デッキ材の端部を組み合わせて収納する組込凹部が形成されていることを特徴とする、デッキ用幕板。
【請求項２】
デッキ材引掛部の上面の長手方向に、ネジ取り付けガイド用のガイド溝が形成されていることを特徴とする、請求項１に記載のデッキ用幕板。
【請求項３】
補強部が、長方形状の中空構造体によって形成されていることを特徴とする、請求項１または２に記載のデッキ用幕板。
【考案の詳細な説明】
【技術分野】
【０００１】
本考案は、デッキ用幕板に関し、詳細には、庭やベランダ等に設置する、例えばウッドデッキの床板の端部である側面に取り付けるデッキ用幕板に関する。
【背景技術】
【０００２】
デッキ用幕板に関して、特許文献１の図３に、デッキ材１の側面に、固定受部２１、幕板受座２９を用い、側面からネジ４１で幕板を取り付ける手段が開示されている。
該手段は、デッキ形成高さを低く設定したときに、幕板固定部材の下方にその固定作業のためのスペースを充分には確保できずに、その作業が一層煩雑化し、また幕板固定部材を取り付けられないために既に並列配置したデッキ材を外した上、これに幕板固定部材を固定して再度これを並列配置するといった煩雑な作業を必要とすることを解消するためものである。
【考案の概要】
【考案が解決しようとする課題】
【０００３】
しかしながら、特許文献１に記載の手段は、基板受座等の取付金具を設定するための手間を要するため施工が難しく、特に、デッキ材の端面の切断面に多少のゆがみなどがある場合には、取付金具の設置が困難になるため、より施工が難しいものであった。
そのため、通常、専門業者による施工が必要であり、素人が日曜大工の気軽さで施工することが困難であった。
従って、庭やベランダに設置するウッドデッキ等のデッキ材の側面に幕板を取り付ける際に、一般の方でも簡単に施工できる、デッキ用幕板が望まれていた。
【課題を解決するための手段】
【０００４】
第１に、
デッキ材引掛部と、該デッキ材引掛部に連続してＬ型形状を形成する側面板部と、該側面板部の内側面に形成された補強部とを有し、デッキ材引掛部と補強部の上面との間に、デッキ材の端部を組み合わせて収納する組込凹部が形成されていることを特徴とする、デッキ用幕板。
本考案品であるデッキ用幕板は、全体が長尺状であって一体として形成することが好ましいが、デッキ材引掛部と側面板部とを一体で形成し、組込凹部を有するように長尺である長方形状部材を取り付けることでも形成できる。
ここで、デッキ材引掛部とは、例えばウッドデッキ等を施工する際に用いる床板としてのデッキ材の端部上面に重なる部分のことであり、連続する側面板部とで逆Ｌ型形状を形成するものである。
デッキ材引掛部がデッキ材に重なる部分の寸法は、本考案品であるデッキ用幕板が確実に保持できるような寸法であれば良いが、補強部の幅より大きな寸法であることが好ましい。
また、側面板部とデッキ材引掛部とが連続する部分は、なだらかなアールを有するように一体として直角状に形成することが好ましい。
側面板部の高さ方向の寸法は、デッキ材の端面を隠すことが可能であって、かつ、補強部の形成が可能な寸法であればよい。
組込凹部の高さ方向の寸法は、デッキ材を組み込んで収納した際に、がたつかずに固定できるように、デッキ材の厚みより僅かに大きく形成されていることが好ましい。
第２に、
デッキ材引掛部の上面の長手方向に、ネジ取り付けガイド用のガイド溝が形成されていることを特徴とする、上記第１に記載のデッキ用幕板。
第３に、
補強部が、３段の長方形状の中空構造体によって形成されていることを特徴とする、上記第１または第２に記載のデッキ用幕板。
【考案の効果】
【０００５】
本考案によれば、以下の効果を奏することができる
【０００６】
本考案のデッキ用幕板は、デッキ材の端部側面に取り付ける際に、取付金具を使用する必要がなく、デッキ材の端部側面に組込凹部を嵌め込むようにして、本考案のデッキ用幕板を直に取り付けた後に、デッキ材の上面側からデッキ材引掛部をネジ止めするだけで取り付け施工が完了する。
従って、デッキ材の端面の切断面に多少のゆがみなどがあっても、取り付け作業に影響されることがないので、一般の方でも簡単に施工できる。
特に、ネジ取り付けガイド用のガイド溝を形成することで、直線上に綺麗にネジを取り付けることができ、また、ガイド溝が形成されていることで、ねじ込み作業が容易であり、簡単にネジ止めができる。
さらに、補強部を、３段の長方形状の中空構造体によって形成することで、側面板部の高さ方向の寸法が長いものでも、全体の強度が向上し、取り付け後も確実に固定状態を保つことが可能となる。
【図面の簡単な説明】
【０００７】
【図１】本考案のデッキ用幕板の使用状態を示す斜視図である。
【考案を実施するための形態】
【０００８】
以下、本考案を実施するための形態を、図面を参照しつつ具体的に説明する。
本考案品であるデッキ用幕板は、全体が長尺状であって一体として形成されたものであり、図１には、左右を切断した状態で示されている。
なお、ここでの説明は本考案が実施される一形態であることから、本考案は該当形態に限定されるものではない。
【０００９】
本考案のデッキ用幕板は、庭やベランダに設置するウッドデッキ等の床材であるデッキ材５の側面にネジ６を使用して取り付けるものであり、デッキ材引掛部１と、該デッキ材引掛部１に連続してＬ型形状を形成する側面板部２と、該側面板部２の内側面に形成された補強部３とを有している。
また、本考案のデッキ用幕板は、デッキ材引掛部１と補強部３の上面との間に、デッキ材５の端部を組み合わせて収納する組込凹部４が形成されている。
【００１０】
前記デッキ材引掛部１とは、例えばウッドデッキ等を施工する際に用いる床板としてのデッキ材の端部上面に重なる部分のことであり、連続する側面板部２とで逆Ｌ型形状を形成するものである。
該デッキ材引掛部１がデッキ材５の端部に重なる部分の寸法は、本考案品であるデッキ用幕板が確実に保持できるように、補強部３の幅より僅かに大きく形成されている。
【００１１】
該デッキ材引掛部１の上面の長手方向には、ネジ４を取り付ける際にガイドとなるガイド溝１１が形成されている。
前記側面板部２とデッキ材引掛部１とが連続する部分は、なだらかなアールを有するように一体として直角状に形成されている。
【００１２】
該側面板部２の高さ方向の寸法は、デッキ材５の端面を隠すことが可能であって、かつ、３段の補強部３の形成が可能なものである。
該組込凹部４の高さ方向の寸法は、デッキ材５を組み込んで収納した際に、がたつかずに固定できるように、デッキ材５の厚みより僅かに大きく形成されている。
前記補強部３は、３段の長方形状の中空構造体によって形成され、３個の中空部３１を有している。
【００１３】
上記の本考案のデッキ用幕板によれば、デッキ材５の端部側面に取り付ける際に、取付金具を使用する必要がなく、デッキ材５の端部側面に組込凹部４を嵌め込むようにして、本考案のデッキ用幕板を直に取り付けた後に、デッキ材５の上面側からデッキ材引掛部１のガイド溝１１の部分にネジ４を使用して、ネジ止めするだけで取り付け施工が完了する。
従って、デッキ材５の端面の切断面に多少のゆがみなどがあっても、組込凹部４を嵌め込むだけなので、取り付け作業に影響されることがないので、一般の方でも簡単に施工できる。
【００１４】
特に、ネジ取り付けガイド用のガイド溝１１を形成することで、直線上に綺麗にネジを取り付けることができ、また、ガイド溝１１が形成されていることで、ねじ込み作業が容易であり、簡単にネジ止めができる。
さらに、補強部３を、３個の中空部３１を形成することにより、３段の長方形状の中空構造体にすることで、側面板部２の高さ方向の寸法が長いものでも、全体の強度が向上し、取り付け後も確実に固定状態を保つことが可能となる。
【符号の説明】
【００１５】
１  デッキ材引掛部
１１  ガイド溝
２  側面板部
３  補強部
３１  中空部
４  組込凹部
５  デッキ材
６  ネジ
【先行技術文献】
【特許文献】
【００１６】
【特許文献１】特許第４３４０６０２号公報
【図１】
0003205228.tif 000003